(57)【特許請求の範囲】
【請求項１】
ステータコアに巻線が巻き回されたステータと、
前記ステータの径方向内側に配置され、支持軸の軸回りに回転可能に構成されたロータと、
前記ステータ及び前記ロータを格納する第１ハウジングと、
樹脂材により構成され、且つ前記支持軸の軸方向一方側へ開放された有底筒状に形成され、前記ステータの内側において前記ロータを収容すると共に、前記支持軸の軸方向他方側の端部を支持する支持部が底壁部に一体に形成された第２ハウジングと、
前記支持部における前記支持軸の軸方向一方側の面に形成され、前記支持軸の軸方向一方側へ開放された第１溝部と、
前記支持部における前記支持軸の軸方向他方側の面に形成され、前記支持軸の軸方向他方側へ開放された第２溝部と、
を備え、
前記第１溝部及び前記第２溝部は、前記支持軸の周方向に沿ってそれぞれ複数形成されており、
隣り合う前記第１溝部の間を区画する第１区画部と、隣り合う前記第２溝部の間を区画する第２区画部と、が前記支持軸の軸方向から見て前記支持軸の周方向に交互に配置されている電動ポンプ。
【請求項２】
前記第１溝部の底面と前記第２溝部の底面とは、前記支持軸の軸方向に離間して配置されている請求項１に記載の電動ポンプ。
【請求項３】
前記支持軸の軸方向において、前記支持軸の軸方向他方側の端面が、前記第２溝部の底面と同じ位置又は前記第２溝部の底面に対して前記支持軸の軸方向一方側に配置されている請求項２に記載の電動ポンプ。
【発明の詳細な説明】
【技術分野】
【０００１】
本発明は、電動ポンプに関する。
【背景技術】
【０００２】
下記特許文献１に記載された電動ポンプでは、ロータがキャン部（第２ハウジング）内に収容されている。このキャン部の下端部における底壁には、支持軸を支持する円筒状の軸支部が一体に形成されており、軸支部は、底壁からロータ側へ突出されている。そして、軸支部の径方向外側が空間とされている。換言すると、軸支部の径方向に溝部（肉逃げ部）が形成されている。これにより、キャン部の成形時において、キャン部の下端部にヒケなどの発生が抑制されるようになっている。
【先行技術文献】
【特許文献】
【０００３】
【特許文献１】特開２０１４−２５４７１号公報
【発明の概要】
【発明が解決しようとする課題】
【０００４】
しかしながら、上記電動ポンプでは、キャン部の下端部に形成された溝部（肉逃げ部）の溝深さが比較的深いため、支持軸に対する支持強度が低下する虞がある。これに対して、溝部（肉逃げ部）の溝深さを浅くして、支持軸に対する支持強度を高くすることが考えられる。この場合には、キャン部の下端部における底壁の厚さが厚くなる（溝部の底面とキャン部の下端面までの距離の長くなる）ため、キャン部の成形時にキャン部の下端部にヒケ等が発生する虞がある。
【０００５】
本発明は、上記事実を考慮し、第２ハウジングの成形性を良好にしつつ、支持軸に対する支持強度を高くすることができる電動ポンプを提供することを目的とする。
【課題を解決するための手段】
【０００６】
請求項１に記載の電動ポンプは、ステータコアに巻線が巻き回されたステータと、前記ステータの径方向内側に配置され、支持軸の軸回りに回転可能に構成されたロータと、前記ステータ及び前記ロータを格納する第１ハウジングと、樹脂材により構成され、且つ前記支持軸の軸方向一方側へ開放された有底筒状に形成され、前記ステータの内側において前記ロータを収容すると共に、前記支持軸の軸方向他方側の端部を支持する支持部が底壁部に一体に形成された第２ハウジングと、前記支持部における前記支持軸の軸方向一方側の面に形成され、前記支持軸の軸方向一方側へ開放された第１溝部と、前記支持部における前記支持軸の軸方向他方側の面に形成され、前記支持軸の軸方向他方側へ開放された第２溝部と、を備え、前記第１溝部及び前記第２溝部は、前記支持軸の周方向に沿ってそれぞれ複数形成されており、隣り合う前記第１溝部の間を区画する第１区画部と、隣り合う前記第２溝部の間を区画する第２区画部と、が前記支持軸の軸方向から見て前記支持軸の周方向に交互に配置されている。
【０００７】
請求項１に記載の電動ポンプでは、支持軸の軸回りに回転可能に構成されたロータが、ステータの径方向内側に配置されている。また、ステータ及びロータは第１ハウジングに格納されており、ロータは第２ハウジングに収容されている。この第２ハウジングは、樹脂材により構成され、支持軸の軸方向一方側へ開放された有底筒状に形成されており、支持軸の軸方向他方側の端部が、第２ハウジングの底壁部に一体に形成された支持部に支持されている。
【０００８】
ここで、支持部における支持軸の軸方向一方側の面には、支持軸の軸方向一方側へ開放された第１溝部が形成されており、支持部における支持軸の軸方向他方側の面には、支持軸の軸方向他方側へ開放された第２溝部が形成されている。このため、支持軸の径方向外側に配置される第１溝部の溝深さを、従来技術の溝部の溝深さに比べて浅く設定することができる。そして、第１溝部の溝深さを浅く設定した場合でも、支持部に形成された第２溝部によって、支持部の底部における肉厚が厚くなることを抑制できる。これにより、第２ハウジングに対する成形性を良好にすることができる。
【００１０】
また、この電動ポンプでは、隣り合う第１溝部の間を区画する第１区画部と、隣り合う第２溝部の間を区画する第２区画部と、が支持軸の軸方向から見て支持軸の周方向に交互に配置されているため、第１溝部及び第２溝部を支持部にバランスよく配置することができる。
【００１１】
請求項２に記載の電動ポンプは、請求項１に記載の電動ポンプにおいて、前記第１溝部の底面と前記第２溝部の底面とは、前記支持軸の軸方向に離間して配置されている。
【００１２】
請求項２に記載の電動ポンプでは、第１溝部の底面と第２溝部の底面とが支持軸の軸方向に離間して配置されているため、例えば、支持部の軸方向から見て、第１溝部と第２溝部とをラップして配置することができる。これにより、支持部が支持軸の径方向に大型化することを抑制できる。
【００１３】
請求項３に記載の電動ポンプは、請求項２に記載の電動ポンプにおいて、前記支持軸の軸方向において、前記支持軸の軸方向他方側の端面が、前記第２溝部の底面と同じ位置又は前記第２溝部の底面に対して前記支持軸の軸方向一方側に配置されている。
【００１４】
請求項３に記載の電動ポンプでは、支持軸の径方向外側に第２溝部を配置しないように構成できる。このため、支持部における第１溝部と第２溝部との間の部分によって、支持軸の軸方向他方側の端部における先端部分を支持することができる。換言すると、支持軸の軸方向他方側の端部における先端部分に対して、支持軸の径方向における支持部の肉厚を厚く設定することができる。したがって、支持部の支持軸に対する支持強度を一層高く構成できる。
【図面の簡単な説明】
【００１５】
【図１】本実施の形態に係る電動ポンプに用いられるキャンの全体を模式的に示す縦断面図である。
【図２】本実施の形態に係る電動ポンプの全体を模式的に示す縦断面図である。
【図３】図１に示されるキャンをポンプ上側から見た平面図である。
【図４】図１に示されるキャンをポンプ下側から見た下面図である。
【発明を実施するための形態】
【００１６】
以下、図面を用いて本実施の形態に係る電動ポンプ１０について説明する。この電動ポンプ１０は、車両（自動車）のエンジン冷却用のポンプとして用いられている。図２に示されるように、電動ポンプ１０は、車両のエンジン１００に固定されるベース１２と、ベース１２に固定された「第２ハウジング」としてのキャン２０と、インペラ４０を回転させるモータ部３０と、モータ部３０を駆動制御する回路基板６０と、モータ部３０及び回路基板６０を覆う「第１ハウジング」としてのモータハウジング７０と、を含んで構成されている。以下、それぞれの構成について説明し、次いで本発明の要部であるキャン２０に適用された支持構造８０について説明する。また、以下の説明では、便宜上、図面に適宜示される矢印Ａ方向を電動ポンプ１０のポンプ上側とし、矢印Ｂ方向をポンプ下側としている。
【００１７】
ベース１２は、金属製（本実施の形態ではアルミニウム合金製）とされると共に、略プレート状に形成されている。そして、ベース１２に対してポンプ上側（ベース１２の板厚方向一側）に設けられた車両のエンジン１００に、ベース１２が固定されている。具体的には、エンジン１００には、冷却水（液体）Ｗの流路１０２を構成する凹部１０４が形成されており、当該凹部１０４を塞ぐようにベース１２がエンジン１００に固定されている。すなわち、ベース１２は、流路１０２の一部を構成している。また、ベース１２がエンジン１００に固定された状態では、ベース１２とエンジン１００との間がシール材１０６によってシールされている。
【００１８】
ベース１２の略中央部には、円形状の連通孔１４がポンプ上下方向に貫通形成されており、連通孔１４は、後述するキャン２０の内部と流路１０２との間を連通している。この連通孔１４の縁部には、円筒形状の連通孔フランジ部１４Ａが一体に形成されており、連通孔フランジ部１４Ａはベース１２からポンプ下側（ベース１２の板厚方向他側）へ突出されている。また、ベース１２には、連通孔フランジ部１４Ａの径方向外側の位置において、複数（本実施の形態では３箇所）のボス１６が一体に形成されている。このボス１６は、略円筒形状に形成されて、ベース１２からポンプ下側へ突出されると共に、連通孔フランジ部１４Ａの周方向に等間隔（１２０°毎）に配置されている。また、ベース１２の外周部には、外周フランジ部１２Ａが一体に形成されており、外周フランジ部１２Ａはベース１２からポンプ下側へ突出されると共に、ベース１２の外周全周に亘って形成されている。
【００１９】
また、ベース１２の下面には、連通孔１４の径方向外側の位置において、放熱ブロック１８が一体に形成されており、放熱ブロック１８は、ベース１２からポンプ下側へ突出されている。そして、放熱ブロック１８は、後述する回路基板６０に実装された発熱素子６２によって発した熱を流路１０２側へ放熱するようになっている。
【００２０】
図１〜図４に示されるように、キャン２０は、樹脂製とされると共に、ポンプ上側へ開放された略有底円筒形状に形成されている。具体的には、キャン２０は、略円筒形状に形成された隔壁２０Ａを有しており、隔壁２０Ａは、ベース１２のポンプ下側で且つベース１２の連通孔１４と同軸上に配置されている（図２参照）。隔壁２０Ａの上端部は、拡径するように段差状に形成されており、この隔壁２０Ａの上端部には、前述したボス１６に対応した位置において、３箇所の取付片２２が一体に形成されている。取付片２２は、板厚方向をポンプ上下方向として隔壁２０Ａから隔壁２０Ａの径方向外側へ突出されると共に、ボス１６のポンプ下側に配置されている。さらに、取付片２２には、ポンプ上下方向に貫通形成された取付孔２２Ａ（図３及び図４参照）が形成されている。そして、前述した連通孔フランジ部１４Ａが隔壁２０Ａの上端部内側に嵌入された状態で、取付片２２の取付孔２２Ａ内にネジ２８がポンプ下側から挿入されて、取付片２２がネジ２８によってボス１６に締結固定されている。これにより、キャン２０がベース１２に取付けられて、キャン２０の内部と流路１０２とが連通されている（図２参照）。
【００２１】
また、図１に示されるように、キャン２０は、隔壁２０Ａの下端部を塞ぐ底壁２０Ｂを備えている。この底壁２０Ｂの中央部には、支持部２４が一体に形成されており、支持部２４は、略円柱状に形成されて、隔壁２０Ａと同軸上に配置されると共に、底壁２０Ｂからポンプ下側へ突出されている。つまり、支持部２４の上面と底壁２０Ｂの上面とが面一に配置されている。また、キャン２０の内部には、略シャフト状の支持軸２６が設けられており、支持軸２６はキャン２０と同軸上に配置されている。この支持軸２６の上端部（軸方向一方側の端部）のポンプ上下位置は、隔壁２０Ａの上端部のポンプ上下位置と略同じに設定されており（図２参照）、支持軸２６の下端部（軸方向他方側の端部）が、支持部２４に固定（埋設）されている。これにより、支持軸２６が支持部２４からポンプ上側へ突出されている。
【００２２】
図２に示されるように、モータ部３０は、ロータ３２とステータ５０とを含んで構成されている。ロータ３２は、キャン２０の内側に収容されている。具体的には、ロータ３２は、略円筒状に形成されると共に、支持軸２６の径方向外側で且つ支持軸２６と同軸上に配置されている。このロータ３２の内部には、複数のマグネット３４が設けられており、マグネット３４はロータ３２の周方向に沿って配置されている。また、ロータ３２の径方向内側には、略円筒形状の軸受３６が設けられている。この軸受３６は、支持軸２６と同軸上に配置されると共に、支持軸２６に回転可能に支持されている。そして、軸受３６とロータ３２とが、樹脂材により構成されたモールド部３８によって一体に成形されている。これにより、ロータ３２が軸受３６を介して支持軸２６に回転可能に支持されている。
【００２３】
また、モールド部３８のポンプ上側には、インペラ４０を構成する第１円盤部４２及びブレード４４が設けられており、第１円盤部４２及びブレード４４は、円筒形状に形成された連結軸部４８を介してモールド部３８と一体に形成されている。第１円盤部４２は、略円板状に形成されて、板厚方向を支持軸２６の軸方向にして支持軸２６と同軸上に配置されている。また、ブレード４４は、第１円盤部４２からポンプ上側へ突出されている。さらに、ブレード４４のポンプ上側には、インペラ４０を構成する第２円盤部４６が設けられている。第２円盤部４６は、略円板状に形成されると共に、第１円盤部４２とブレード４４を介して対向するように配置されて、ブレード４４と一体に結合されている。そして、インペラ４０は、ベース１２よりもポンプ上側へ突出されて、流路１０２内に配置されている。なお、連結軸部４８は支持軸２６と同軸上に配置されている。
【００２４】
ステータ５０は、環状に形成されたステータコア５２と、導電性を有する巻線（図示省略）と、を含んで構成されて、キャン２０の径方向外側に配置されている。すなわち、ステータ５０とロータ３２とは、キャン２０の隔壁２０Ａによって隔離されると共に、隔壁２０Ａを介して支持軸２６の径方向に対向して配置されている。ステータコア５２は、所定の形状に打ち抜かれた複数の鋼板によって構成されており、当該鋼板が板厚方向をポンプ上下方向にして板厚方向に積層されている。そして、図示は省略するが、ステータコア５２には、自身の径方向外側へ延びる複数のティース部が形成されており、このティース部に巻線が巻回されている。
【００２５】
また、ステータ５０は、ステータホルダ５４によって覆われている。ステータホルダ５４は、鋼板で製作されると共に、ポンプ上側へ開放された略有底円筒形状に形成されている。また、ステータホルダ５４の底壁には、円形状の配置孔５４Ａがポンプ上下方向に貫通形成されている。そして、ステータ５０がステータホルダ５４内に嵌入されており、この状態では、キャン２０の支持部２４が配置孔５４Ａの内側に配置されている。
【００２６】
さらに、ステータホルダ５４の開放端（上端）には、ホルダ側フランジ部５４Ｂが一体に形成されている。このホルダ側フランジ部５４Ｂは、ステータホルダ５４の開放端からステータホルダ５４の径方向外側へ延出されて、後述するモータハウジング７０に固定されている。
【００２７】
回路基板６０は、板厚方向をポンプ上下方向にして、ベース１２のポンプ下側で且つキャン２０の径方向外側に配置されている。すなわち、回路基板６０と流路１０２との間がベース１２によって仕切られている。また、回路基板６０の上面には、発熱素子６２（例えば、ＦＥＴやパワートランジスタ等）が実装されている。この発熱素子６２は、ポンプ上下方向から見て、インペラ４０の径方向外側に配置されると共に、流路１０２とラップして配置されている。また、発熱素子６２は、放熱ブロック１８のポンプ下側に配置されると共に、熱伝導性接着剤６８Ａを介して放熱ブロック１８に当接されている。
【００２８】
また、回路基板６０には、発熱素子６２に対応する部位においてビアホール６４が形成されており、回路基板６０の下面には、ビアホール６４（発熱素子６２）に接続された回路パターン（図示省略）が形成されている。そして、回路基板６０の下面が、熱伝導性接着剤６８Ｂを介して後述するモータハウジング７０の基板カバー部７４に当接されるようになっている。さらに、回路基板６０には、上述したステータ５０の巻線の端末部が接合されると共に、図示しない外部コネクタと接続されるターミナル（図示省略）が接合されている。
【００２９】
モータハウジング７０は、金属製（本実施の形態では、アルミニウム合金製）とされている。このモータハウジング７０は、ポンプ上側へ開放された凹状に形成されて、モータ部３０及び回路基板６０をポンプ下側から覆うと共に、ベース１２を塞ぐようにベース１２に固定されている。具体的には、モータハウジング７０は、モータ部３０を覆うモータカバー部７２と、回路基板６０を覆う基板カバー部７４と、を含んで構成されている。モータカバー部７２は、ポンプ上側へ開放された略有底円筒形状に形成されており、モータカバー部７２内にステータホルダ５４が嵌入されている。また、モータカバー部７２の底壁には、略円筒形状の筒部７２Ａが一体に形成されている。筒部７２Ａは、モータカバー部７２の底壁からポンプ上側に突出されており、筒部７２Ａ内にキャン２０の支持部２４が挿入されている。
【００３０】
基板カバー部７４は、略板状に形成されると共に、板厚方向をポンプ上下方向にしてモータカバー部７２の開放端部からモータカバー部７２の径方向外側へ延出されている。また、基板カバー部７４は、回路基板６０をポンプ下側から覆うと共に、回路基板６０の上面（板厚方向一側面）に近接して配置されている。これにより、回路基板６０と電動ポンプ１０の外部（の空気）との間が、基板カバー部７４によって仕切られている。
【００３１】
また、モータハウジング７０の開放端部には、外周フランジ部７６が一体に形成されている。外周フランジ部７６は、モータハウジング７０の開放端部からポンプ上側へ突出されると共に、モータハウジング７０の外周全周に亘って形成されている。そして、外周フランジ部７６が、ベース１２の外周フランジ部１２Ａの内側に嵌合された状態で、モータハウジング７０がベース１２に固定されている。
【００３２】
次に本発明の要部であるキャン２０の支持部２４に適用された支持構造８０について説明する。
【００３３】
図１に示されるように、支持構造８０は、支持軸２６を軸支する軸支部８２と、支持部２４の上面（支持軸２６の軸方向一方側の面）に形成された第１溝部８４と、支持部２４の下面（支持軸２６の軸方向他方側の面）に形成された第２溝部８８と、を含んで構成されている。軸支部８２は、略円筒形状に形成されると共に、支持軸２６と同軸上に配置されて、支持部２４の上面からポンプ上側へ突出されている。そして、軸支部８２の内部に支持軸２６の下端部が埋設されて、支持軸２６が支持部２４に支持（固定）されている。また、軸支部８２の底面８２Ａは、支持部２４の上面よりも下側に配置されている。つまり、軸支部８２に支持（固定）される支持軸２６の下端部は、支持部２４の上面よりも下側に埋設されるように構成されている。そして、支持部２４の上面と軸支部８２の底面８２Ａ（支持軸２６の下端面２６Ａ）とのポンプ上下方向の距離が距離Ｈ１とされており、支持部２４の下面と軸支部８２の底面８２Ａ（支持軸２６の下端面２６Ａ）とのポンプ上下方向の距離が距離Ｈ２とされている。
【００３４】
図３にも示されるように、第１溝部８４は、ポンプ上側へ開放され、軸支部８２（支持軸２６）の径方向外側において支持部２４の上部を径方向に２分割するように配置されると共に、支持軸２６の周方向に沿って複数（本実施の形態では３箇所）形成されている。具体的には、第１溝部８４は、ポンプ上側から見て、支持軸２６の周方向に沿って略円弧状に延在されると共に、支持軸２６の周方向に等間隔毎（１２０°毎）に配置されている。また、図１に示されるように、第１溝部８４の底面８４Ａは縦断面視でポンプ下側へ凸となる略円弧状に湾曲されており、第１溝部８４の溝深さ（支持部２４の上面から第１溝部８４の底面８４Ａの下端までの深さ）が溝深さＤ１とされている。そして、溝深さＤ１は、上述した距離Ｈ１よりも小さく設定されている。すなわち、第１溝部８４の底面８４Ａが、支持軸２６の下端面２６Ａよりもポンプ上側に配置されている。
【００３５】
また、図３に示されるように、支持軸２６の周方向において隣り合う第１溝部８４同士を区画する部分が、第１区画部８６とされており、第１区画部８６が支持軸２６の周方向に１２０°毎に配置されている。
【００３６】
図１及び図４に示されるように、第２溝部８８は、ポンプ下側へ開放されると共に、支持軸２６の周方向に複数（本実施の形態では３箇所）形成されている。具体的には、第２溝部８８は、ポンプ下側から見て、支持軸２６の周方向に沿って略円弧状に延在されて、第１溝部８４と同心円状を成すように、支持軸２６の周方向に等間隔毎（１２０°毎）に配置されている。そして、第２溝部８８が第１溝部８４のポンプ下側に配置されている。これにより、ポンプ上下方向から見て、第１溝部８４と第２溝部８８とがラップするように設定されている（図１参照）。また、第２溝部８８の幅寸法は、第１溝部８４の幅寸法に比べて若干小さく設定されている。
【００３７】
また、図１に示されるように、第２溝部８８の底面８８Ａは縦断面視でポンプ上側へ凸となる略円弧状に湾曲されており、第２溝部８８の溝深さ（支持部２４の下面から第２溝部８８の底面８８Ａの上端までの深さ）が溝深さＤ２とされている。そして、溝深さＤ２は、上述した距離Ｈ２と同じに設定されている。すなわち、第２溝部８８が支持軸２６の径方向外側に配置されない構成となっており、第１溝部８４と第２溝部８８とがポンプ上下方向に所定の距離Ｈ３だけ離間して配置されている。そして、この第１溝部８４と第２溝部８８とをポンプ上下方向に仕切る部分が仕切部９０とされており、仕切部９０が、支持軸２６の下端部における先端部分２６Ａ１の径方向外側に配置されている。換言すると、支持軸２６の先端部分２６Ａ１に対して、支持部２４の肉厚が支持軸２６の径方向に厚くなるように設定されている。また、仕切部９０の肉厚（すなわち、距離Ｈ３）は、支持部２４における他の部位の肉厚と略同じになるように設定されている。
【００３８】
また、図４に示されるように、支持軸２６の周方向において隣り合う第２溝部８８同士を区画する部分が、第２区画部９２とされている。さらに、図３及び図４に示されるように、ポンプ上下方向から見て、第２溝部８８は、第１溝部８４に対して支持軸２６の周方向に６０°ずれて配置されている。これにより、第１区画部８６と第２区画部９２とがポンプ上下方向から見て支持軸２６の周方向に交互（６０°毎）に並ぶように構成されている。
【００３９】
次に本実施の形態の作用及び効果について説明する。
【００４０】
上記のように構成された電動ポンプ１０では、外部コネクタから回路基板６０に電力が供給されてモータ部３０が駆動されると、モータ部３０のロータ３２及びインペラ４０が支持軸２６の軸線回りに回転する。これにより、流路１０２内の冷却水Ｗが圧送されて、冷却水Ｗが流路１０２内を循環される。
【００４１】
また、電動ポンプ１０では、ロータ３２が支持軸２６の軸回りに回転するようになっており、支持軸２６は、キャン２０の底壁２０Ｂに形成された円柱状の支持部２４に支持（固定）されている。
【００４２】
ここで、支持部２４の上面には、ポンプ上側へ開放された第１溝部８４が形成されており、支持部２４の下面には、ポンプ下側へ開放された第２溝部８８が形成されている。すなわち、支持部２４に対する肉逃げ（肉盗み）構造が、ポンプ上側及びポンプ下側へそれぞれ開放された第１溝部８４及び第２溝部８８によって構成されている。このため、主として支持軸２６の径方向外側に配置される第１溝部８４の溝深さＤ１を、従来技術の溝部の溝深さに比べて浅く設定することができる。これにより、従来技術に比べて支持部２４における支持軸２６に対する支持強度を高くすることができる。
【００４３】
また、第１溝部８４の溝深さＤ１を浅く設定した場合でも、支持部２４に形成された第２溝部８８によって、支持部２４の底部（具体的には、支持部２４における第１溝部８４の下側部分）における肉厚が他の部位に比べて厚くなることを抑制できる。これにより、キャン２０を成形するときに、支持部２４の底部にヒケなどが発生することが抑制されるため、キャン２０の成形性を良好にすることができる。以上により、キャン２０の成形性を良好にしつつ、支持軸２６に対する支持強度を高くすることができる。
【００４４】
さらに、上述したように、従来技術と比べて第１溝部８４の溝深さＤ１を浅く設定できるため、キャン２０を成形するときの成形型を有利な構造にすることができる。すなわち、キャン２０を成形する場合には、第１溝部８４及び第２溝部８８を成形するための突起を成形型に形成する必要がある。そして、従来技術のように第２溝部８８を省略した構成では、成形型において第１溝部８４を成形するための突起が比較的長くなる。このため、成形型において当該突起の強度を確保する必要がある。また、当該突起が比較的長くなることで、キャン２０を成形するときの成形型の型抜きが困難になる可能性がある。
【００４５】
これに対して、本実施の形態の支持構造８０では、２つの溝部である第１溝部８４及び第２溝部８８を支持部２４に形成する肉逃げ（肉盗み）構造をとっているため、第１溝部８４及び第２溝部８８の溝深さＤ１及び溝深さＤ２を浅く設定することができる。このため、キャン２０を成形する成形型において、第１溝部８４及び溝深さＤ２を成形するための突起を比較的短く設定できる。これにより、成形型において当該突起の強度を十分に確保することができると共に、キャン２０を成形するときの成形型の型抜きを良好にすることができる。
【００４６】
また、本実施の形態では、上述したように、支持部２４に第１溝部８４及び第２溝部８８を成形することで、支持部２４の支持軸２６の対する支持強度を高く構成することができる。これにより、軸支部８２の支持部２４からの突出高さを比較的低くした場合でも、支持部２４の支持軸２６の対する支持強度を確保することができる。このため、電動ポンプ１０の小型化に寄与することができる。
【００４７】
さらに、本実施の形態では、隣り合う第１溝部８４の間を区画する第１区画部８６と、隣り合う第２溝部８８の間を区画する第２区画部９２と、がポンプ上下方向から見て支持軸２６の周方向に交互に配置されている。このため、第１溝部８４及び第２溝部８８を支持部２４にバランスよく配置することができる。
【００４８】
さらに、第１溝部８４の底面８４Ａと第２溝部８８の底面８８Ａとは、ポンプ上下方向に所定の距離Ｈ３だけ離間して配置されて、第１溝部８４の底面８４Ａと第２溝部８８の底面８８Ａとの間に仕切部９０が形成されている。このため、ポンプ上下方向から見て、第１溝部８４と第２溝部８８とをラップして配置することができる。したがって、キャン２０の支持部２４が支持軸２６の径方向に大型化することを抑制できる。
【００４９】
また、支持部２４の下面と支持軸２６の下端面２６Ａとの距離Ｈ３と、第２溝部８８の溝深さＤ２と、が同じに設定されている。このため、支持軸２６の径方向外側に第２溝部８８を配置しない構成にすることができる。すなわち、第１溝部８４と第２溝部８８とを仕切る仕切部９０を、支持軸２６の下端部における先端部分２６Ａ１に対して径方向外側に配置することができる。換言すると、仕切部９０が支持軸２６の先端部分２６Ａ１に対して径方向外側に配置されるため、支持部２４における先端部分２６Ａ１に対応する部分の肉厚を支持軸２６の径方向において厚く設定することができる。したがって、仕切部９０が軸支部８２に対する補強リブとして作用するため、支持部２４の支持軸２６に対する支持強度を一層高く構成できる。
【００５０】
なお、本実施の形態では、第２溝部８８が第１溝部８４に対して支持軸２６の周方向に６０°ずれて配置されているが、第１溝部８４に対して第２溝部８８をずらす角度は任意に設定することができる。また、ポンプ上下方向から見た第２溝部８８と第１溝部８４との位置を一致させてもよい。つまり、ポンプ上下方向から見た第１区画部８６と第２区画部９２とを一致させてもよい。
【００５１】
また、本実施の形態では、第１溝部８４と第２溝部８８との個数が同じに設定されているが、第１溝部８４と第２溝部８８との個数を異なるように設定してもよい。
【００５２】
また、本実施の形態では、支持部２４の下面と支持軸２６の下端面２６Ａとの距離Ｈ３と、第２溝部８８の溝深さＤ２と、が同じに設定されているが、第２溝部８８の溝深さＤ２を距離Ｈ３よりも大きく設定してもよし、第２溝部８８の溝深さＤ２を距離Ｈ３よりも小さく設定してもよい。
【符号の説明】
【００５３】
１０・・・電動ポンプ、２０・・・キャン（第２ハウジング）、２４・・・支持部、２６・・・支持軸、２６Ａ・・・下端面（支持軸の軸方向他方側の端面）、３２・・・ロータ、５０・・・ステータ、５２・・・ステータコア、７０・・・モータハウジング（第１ハウジング）、８４・・・第１溝部、８４Ａ・・・第１溝部の底面、８６・・・第１区画部、８８・・・第２溝部、８８Ａ・・・第２溝部の底面、９２・・・第２区画部
【図１】
0006365203.tif 000002
【図２】
0006365203.tif 000003
【図３】
0006365203.tif 000004
【図４】
0006365203.tif 000005